(57)【要約】      （修正有）【課題】デザイン性に優れたドアストッパーを提供する。【解決手段】円形の底面から頂点に向かって直線的に伸びた略円錐形状をなす本体部１０を有するドアストッパー１であって、中心軸で切断した切断面が鈍角二等辺三角形であり、かつ前記本体部の内部が密に詰まっているとともに、前記円錐状の本体部の底面に、前記底面のほぼ全面を覆う滑り止め部１１を備えていることを特徴とする。このような構成によれば、デザイン性に優れ、また円錐形であるため安定感があって使い勝手がよく、また、製造も容易であるため低コストで製造できるドアストッパーを提供することができる。【選択図】図３
0003193807.tif 000002
【実用新案登録請求の範囲】
【請求項１】
円形の底面から頂点に向かって直線的に伸びた略円錐形状をなす本体部（１０）を有するドアストッパー（１）であって、円錐の中心軸で切断した切断面が鈍角二等辺三角形であり、かつ
前記本体部の内部が密に詰まっているとともに、前記円錐状の本体部の底面に、前記底面のほぼ全面を覆う滑り止め部（１１）を備えていることを特徴とするドアストッパー。
【請求項２】
前記滑り止め部はゴム又はシリコン樹脂で構成されていることを特徴とする請求項１記載のドアストッパー。
【請求項３】
前記本体部は一枚板(solid timber)又は集成木材（laminated timber）からなる木塊、石又はシリカを旋盤加工することにより削りだしされた中実構造の一体物であることを特徴とする請求項１又は２記載のドアストッパー。
【請求項４】
前記本体部は、高衝撃ポリスチレン（high impact polystyrene; HIPS)、プラスチックその他のキャスト材を鋳造された中実構造の一体物であることを特徴とする請求項１又は２記載のドアストッパー。
【考案の詳細な説明】
【技術分野】
【０００１】
本考案は、ドアストッパー、特に、ドアと床面の隙間に差し込んで用いるタイプのドアストッパーに関する。
【背景技術】
【０００２】
ドアと床面の隙間に差し込んで用いるタイプのドアストッパーには、三角形の楔型のものや円錐形のものなど、様々な形状・構造のものが存在し、材質もゴム製や木製など種々のものが用いられている（例えば、特許文献１、２等）。
【先行技術文献】
【特許文献】
【０００３】
【特許文献１】特開平９−１５８５８９号公報
【特許文献２】特開２０１３−７９５６１号公報
【考案の概要】
【考案が解決しようとする課題】
【０００４】
しかし、専ら実用的機能性を考慮したドアストッパーは、デザイン性に乏しいものが多く、使用しない時は目立たない場所に隠しておくか、又はドアの近くに放置されたままとなっている場合が多い。
【０００５】
このような中、円錐形状のドアストッパーは、どの方向からでも挿入することができ、見た目にも美しいという点において、優れたデザインということができ、いくつかの例が報告されている。例えば、特許文献２に記載された円錐形のドアストッパーは、内部が空洞で円錐の頂部付近に「とって」が設けられている点などを特徴とする。
【０００６】
しかし、このような複雑な構造物では、加工や組み立て工程が複雑となり、低コストで製造することができない。
【０００７】
本考案は、上記に鑑みてなされたものであり、低コストで製造でき、デザイン性に優れた、新規な構造のドアストッパーを提供することを技術的課題とする。
【課題を解決するための手段】
【０００８】
本考案に係るドアストッパーは、円形の底面から頂点Ｐに向かって直線的に伸びた略円錐形状をなす本体部１０を有するドアストッパー１であって、中心軸で切断した切断面が鈍角二等辺三角形であり、かつ
前記本体部の内部が密に詰まっているとともに、前記円錐状の本体部の底面に、前記底面のほぼ全面を覆う滑り止め部１１を備えていることを特徴とする。ここで、「頂点」とは、円錐形の仮想的な頂点（図３（Ｂ）の点Ｐ）を指し、「略円錐状」としたのは円錐の頂点付近は多少丸くなっていてもよいからである。また、「ほぼ全面」とは、実質的に底面全体を覆っていることを意味する。また、「鈍角二等辺三角形」とは、理論上は頂角が９０度よりも大きくかつ１８０度未満の三角形を指すが、実際にはドアと床面の隙間に差し込んで用いるのに適した角度であると解釈すべきである。
【０００９】
上記構成において、前記滑り止め部の材質はゴム又はシリコン樹脂で構成されていることが好ましい。特に、本体部の材質によっては床面との摩擦が小さい場合があり、これらの部材は安価で摩擦力も大きいためである。
【００１０】
上記構成において、前記本体部は一枚板(solid timber)又は集成木材（laminated timber）からなる木塊、石又はシリカを旋盤加工することにより削りだしされた中実構造の一体物であることが好ましい。内部が中空構造の場合、加工や組立工程が複雑になりコスト増にもつながるからである。また、内部が密に詰まった中実構造であると、密度が大きくなるため、小容積でも大きなドアや床面との摩擦を大きくすることができる利点がある。
【００１１】
或いは、上記構成において、前記本体部は、高衝撃ポリスチレン（high impact polystyrene; HIPS)、プラスチックその他のキャスト材を鋳造された中実構造の一体物で構成されていても良い。キャストは削り出しに変わる方法であり、本考案のような形状及び構造のドアストッパーを製造する他の方法として採用しうるものだからである。
【考案の効果】
【００１２】
本考案に係るドアストッパーは、デザイン性に優れ、また円錐形であるため安定感があって使い勝手がよく、また、製造も容易であるため低コストで製造できるなどの利点がある。
【図面の簡単な説明】
【００１３】
【図１】（Ａ）ドアストッパー１の斜視図（Ｂ）ドアストッパー１の外観を示す参考写真
【図２】ドアストッパー１の上面図
【図３】（Ａ）ドアストッパー１の正面図（Ｂ）図２に示すＸ−Ｘ線（円錐の中心軸）で切断した断面図
【図４】ドアストッパー１の底面図
【図５】（Ａ）ドアストッパー１を側面写真 （Ｂ）ドアストッパー１の底面写真
【考案を実施するための形態】
【００１４】
図１（Ａ）は、本考案の実施例であるドアストッパー１の斜視図を示し、図１（Ｂ）はドアストッパー１の外観を示す参考写真を示している。図２は、ドアストッパー１の上面図を示している。このように、ドアストッパー１は略円錐形状であり、ドアストッパーとして機能するために必要かつ十分な強度、重量及び大きさを実現しうる部材から構成される。例えば、一枚板(solid timber)、集成木材（laminated timber）、高衝撃ポリスチレン（high impact polystyrene; HIPS)、プラスチック、石、シリカなどを原材料として、形状を図１（Ａ）のように略円錐形状に加工して構成される。
【００１５】
図３（Ａ）は、図１に示すドアストッパー１の正面図であり、底面には滑り止め部１１が貼り付けられている。円錐形の対称性から、左側面図及び右側面図はいずれも正面図と同一に現れるため省略する。図３（Ｂ）は図２に示すＸ−Ｘ線（円錐の中心軸）で切断した断面図である。
【００１６】
図３（Ｂ）に示すように、実際の本体部の形状については、幾何学的な円錐の頂点Ｐ付近が多少丸くなっていてもよい。この図の例に示す円錐形の断面図に現れる等角二等辺三角形の頂角は１１５度前後であるが、ドアと床面との隙間に差し込んで用いるドアストッパーの用途を考え合わせると、概ね１００度〜１５０度くらいの幅が現実的な範囲であると考えられる。
【００１７】
図４は、図１に示すドアストッパー１の底面図を示している。ドアストッパー１の底面に貼り付けられた滑り止め部１１は、滑り止めの機能を発揮しなければならないため、例えばゴム、シリコン樹脂など、床面に対する摩擦力を付与しうる部材で構成され、表面には床面との摩擦を増大させるため凹凸形状のパターンを有していることが好ましい。
【００１８】
一つの実施形態として、このドアストッパーは、異なる複数の種類の木材を層状に重ね合わせて貼り付けられた合板から構成されていてもよい。たとえば、オーク材とマホガニー材とシタン材の層を有していても良い。ドアストッパーの内部は空洞ではなく密に詰まっていることが好ましい。ドアストッパーが、木製の場合は塊状の材料を旋盤で加工して作製することが好ましい。旋盤加工であれば円錐形状の加工は容易だからである。シリカ製やプラスチック製の場合は鋳型に流し込んで鋳造により製造する方法が簡便である。鋳造で製造する場合、底面に直接凹凸形状を付与することも容易であり、材料によっては底面の滑り止め部１１を省略してもよい。
【００１９】
典型的には、ドアストッパーの底面の直径は１３ｃｍ程度、高さ４ｃｍ程度であるが、もちろんこの大きさに限定されない。ドアの大きさや重さ、ドアの下部と床面の大きさなどを考慮して種々の値をとることができる。
【符号の説明】
【００２０】
１ ドアストッパー
１０ 本体部
１１ 滑り止め部
【図１】
0003193807.tif 000003
【図２】
0003193807.tif 000004
【図３】
0003193807.tif 000005
【図４】
0003193807.tif 000006
【図５】
0003193807.tif 000007